(57)【要約】【課題】所望の画像を素早く検索することが可能な画像再生装置を提供する。【解決手段】このビデオカメラ１（画像再生装置）は、所定の位置において固定的に再生表示する注目画像７ａから複数の画像を所定の経路を形成するように再生表示するとともに、注目画像７ａが他の画像に更新された場合に複数の画像の各々を所定の経路に沿って更新して表示するように構成する。【選択図】図７
2008271183.tif 000002
【特許請求の範囲】
【請求項１】
装置本体と、複数の画像を再生表示する表示部とを備えた画像再生装置において、
前記表示部には、注目画像が所定の位置に固定的に再生表示されるとともに、前記注目画像以外の前記複数の画像が前記注目画像を中心として所定の経路を形成するように螺旋状に配置された状態で再生表示されるように構成され、
前記表示部には、前記注目画像が他の前記画像に更新された場合に前記複数の画像の各々が前記所定の経路に沿って更新されて再生表示されるように構成され、
前記表示部には、前記螺旋状の中心部に位置する前記注目画像が前記注目画像以外の画像よりも大きくなるように再生表示されるとともに、前記螺旋状の所定の経路の両端部にそれぞれ位置する前記画像が前記中心部に位置する前記注目画像と同程度の大きさになるように再生表示されるように構成されている、画像生成装置。
【請求項２】
装置本体と、
複数の画像を再生表示する表示部とを備え、
前記表示部には、注目画像が所定の位置に固定的に再生表示されるとともに、前記注目画像以外の前記複数の画像が前記注目画像から所定の経路を形成するように再生表示されるとともに、前記注目画像が他の前記画像に更新された場合に前記複数の画像の各々が前記所定の経路に沿って更新されて再生表示されるように構成されている、画像再生装置。
【請求項３】
前記表示部には、前記複数の画像が前記注目画像を中心として前記所定の経路を形成するように螺旋状に配置された状態で再生表示されるように構成されている、請求項２に記載の画像再生装置。
【請求項４】
前記表示部には、前記螺旋状の中心部に位置する前記注目画像が前記注目画像以外の画像よりも大きくなるように再生表示されるように構成されている、請求項３に記載の画像再生装置。
【請求項５】
前記表示部には、前記螺旋状の所定の経路の両端部にそれぞれ位置する前記画像が前記中心部に位置する前記注目画像と同程度の大きさになるように再生表示されるように構成されている、請求項４に記載の画像再生装置。
【請求項６】
前記表示部には、前記中心部に位置する前記注目画像と前記所定の経路の両端部にそれぞれ位置する画像との間に位置する前記複数の画像が、前記注目画像から遠ざかるに従って次第に小さくなるように再生表示されるとともに、前記所定の経路の両端部のそれぞれに位置する前記画像に近づくに従って次第に大きくなるように再生表示されるように構成されている、請求項５に記載の画像再生装置。
【請求項７】
前記装置本体は、前記注目画像を前記注目画像に隣接する画像に更新する第１更新ボタンと、前記注目画像を前記所定の経路の両端部のうちのいずれか一方の画像に更新する第２更新ボタンとを含み、
前記表示部は、前記第１更新ボタンの操作により前記注目画像が前記隣接する画像に更新された場合に、前記複数の画像の各々も前記所定の経路に沿ってそれぞれ前記隣接する画像に更新されて再生表示されるとともに、前記第２更新ボタンの操作により前記注目画像が前記所定の経路の両端部のうちのいずれか一方の画像に更新された場合に、前記複数の画像の各々が前記所定の経路に沿って配置された互いの順序を変えないように前記注目画像と前記両端部のいずれか一方との間の画像分だけ更新されて再生表示されるように構成されている、請求項２または３に記載の表示装置。
【発明の詳細な説明】
【技術分野】
【０００１】
この発明は、画像再生装置に関し、特に、複数の画像を表示する表示部を備えた画像再生装置に関する。
【背景技術】
【０００２】
従来、複数の画像を表示する表示部を備えた画像表示方法および画像表示装置が知られている（たとえば、特許文献１〜３参照）。
【０００３】
上記特許文献１には、ＥＶＦ（表示部）を備えた装置の画像再生方法が開示されている。この特許文献１に記載の画像再生方法では、ＥＶＦに複数の画像を再生表示させる際に、複数の画像を９分割された画面に順番に一覧表示する一方で、所定の枚数おきに一覧表示することが可能なようにも構成されている。なお、ＥＶＦ（Ｅｌｅｃｔｒｏｎｉｃ  Ｖｉｅｗ  Ｆｉｎｄｅｒ）とは、ディジタルカメラなどのファインダに液晶画面を使用したものである。
【０００４】
また、上記特許文献２には、表示画面（表示部）を備えた画像再生装置が開示されている。この特許文献２に記載の画像再生装置では、表示画面に複数の画像を再生表示させる際に、複数の画像が９分割された画面に一覧表示されるとともに、画像とともに表示される選択マーク（カーソル）を操作することによって所望の画像を選択および決定するように構成されている。
【０００５】
また、上記特許文献３には、モニタ画面（表示部）を備えた装置の画像再生方法が開示されている。この特許文献３に記載の画像再生方法では、モニタ画面に複数の画像を再生表示させる際に、４分割または９分割されたモニタ画面に画像が１枚ずつ所定の時間間隔で表示されていくとともに、４枚または９枚の画像が全て表示された後に次の画面に更新するように構成されている。
【０００６】
【特許文献１】特開２００６−２２２５６１号公報
【特許文献２】ＷＯ２００２−８２８０６号公報（再公表公報）
【特許文献３】特開２００５−１３６４９５号公報
【発明の開示】
【発明が解決しようとする課題】
【０００７】
しかしながら、上記特許文献１に記載の画像再生方法では、一度に９枚の画像を一覧表示可能なように構成されている一方で、画像を更新する度に画面全体を更新しなければならない。また、画像を更新させるためには、その度にカーソルを画面が更新する位置にまで移動させる操作を行わなければならないと考えられるので、所望の画像を素早く検索することが困難であるという問題点がある。
【０００８】
また、上記特許文献２に記載の画像再生装置では、一度に９枚の画像を一覧表示可能なように構成されている一方で、画像を更新する度に画面全体を更新しなければならない。また、画像を更新させるためには、その度に選択マーク（カーソル）を画面が更新する位置にまで移動させる操作を行わなければならないと考えられるので、所望の画像を素早く検索することが困難であるという問題点がある。
【０００９】
また、上記特許文献３に記載の画像再生方法では、一度に４枚または９枚の画像を一覧表示可能なように構成されている一方で、画像を更新する度に画面全体を更新しなければならない。また、画像が所定の時間間隔で１枚ずつ表示されていくとともに、４枚または９枚全ての画像が表示されないと画面が更新されないので、所望の画像を素早く検索することが困難であるという問題点がある。
【００１０】
この発明は、上記のような課題を解決するためになされたものであり、この発明の１つの目的は、所望の画像を素早く検索することが可能な画像再生装置を提供することである。
【課題を解決するための手段および発明の効果】
【００１１】
この発明の第１の局面による画像再生装置は、装置本体と、複数の画像を再生表示する表示部とを備えた画像再生装置において、表示部には、注目画像が所定の位置に固定的に再生表示されるとともに、注目画像以外の複数の画像が注目画像を中心として所定の経路を形成するように螺旋状に配置された状態で再生表示されるように構成され、表示部には、注目画像が他の画像に更新された場合に複数の画像の各々が所定の経路に沿って更新されて再生表示されるように構成され、表示部には、螺旋状の中心部に位置する注目画像が注目画像以外の画像よりも大きくなるように再生表示されるとともに、螺旋状の所定の経路の両端部にそれぞれ位置する画像が中心部に位置する注目画像と同程度の大きさになるように再生表示されるように構成されている。
【００１２】
この第１の局面による画像再生装置では、上記のように、所定の位置において固定的に再生表示する注目画像から複数の画像を所定の経路を形成するように再生表示するとともに、注目画像が他の画像に更新された場合に複数の画像の各々を所定の経路に沿って更新して再生表示するように構成することによって、所定の位置に固定的に再生表示された注目画像を順次更新していくので、画面全体を更新することなく画像のみを更新することができる。したがって、所望の画像を素早く検索することができる。
【００１３】
また、第１の局面による画像再生装置では、複数の画像を、注目画像を中心として所定の経路を形成するように螺旋状に配置した状態で再生表示するように構成することによって、複数の画像を螺旋状に配置するので、表示部において一度に多くの画像を配置することができる。また、螺旋状に配置することにより、複数の画像が１本の経路に時系列順に配置されるので、撮影された順番を容易に認識することができる。また、螺旋状の中心部に位置する注目画像を注目画像以外の画像よりも大きくなるように構成することによって、他の複数の画像よりも注目画像を大きく再生表示するので、注目画像を容易に認識することができる。したがって、所望の画像を容易に検索することができる。また、螺旋状の所定の経路の両端部にそれぞれ位置する画像を中心部に位置する注目画像と同程度の大きさになるように再生表示するように構成することによって、注目画像とともに、螺旋状の所定の経路の両端部に位置する画像も容易に認識することができる。したがって、注目画像と所定の経路の両端部に位置する画像との間に存在する画像を容易に予測することができる。
【００１４】
この発明の第２の局面による画像再生装置は、装置本体と、複数の画像を再生表示する表示部とを備え、表示部には、注目画像が所定の位置に固定的に再生表示されるとともに、注目画像以外の複数の画像が注目画像から所定の経路を形成するように再生表示されるとともに、注目画像が他の画像に更新された場合に複数の画像の各々が所定の経路に沿って更新されて再生表示されるように構成されている。
【００１５】
この第２の局面による画像再生装置では、上記のように、所定の位置において固定的に再生表示する注目画像から複数の画像を所定の経路を形成するように再生表示するとともに、注目画像が他の画像に更新された場合に複数の画像の各々を所定の経路に沿って更新して再生表示するように構成することによって、所定の位置に固定的に再生表示された注目画像を順次更新していくので、画面全体を更新することなく画像のみを更新することができる。したがって、所望の画像を素早く検索することができる。
【００１６】
上記第２の局面による画像再生装置において、好ましくは、表示部には、複数の画像が注目画像を中心として所定の経路を形成するように螺旋状に配置された状態で再生表示されるように構成される。このように構成すれば、複数の画像を螺旋状に配置するので、表示部において一度に多くの画像を配置することができる。また、螺旋状に配置することにより、複数の画像は１本の経路に時系列順に配置されるので、撮影された順番を容易に認識することができる。
【００１７】
上記第２の局面による画像再生装置において、好ましくは、螺旋状の中心部に位置する注目画像が注目画像以外の画像よりも大きくなるように構成される。このように構成すれば、他の複数の画像よりも注目画像が大きく再生表示されるので、注目画像を容易に認識することができる。したがって、所望の画像を容易に検索することができる。
【００１８】
上記第２の局面による画像再生装置において、好ましくは、表示部には、螺旋状の所定の経路の両端部にそれぞれ位置する画像が中心部に位置する注目画像と同程度の大きさになるように再生表示されるように構成する。このように構成すれば、注目画像とともに、螺旋状の所定の経路の両端部に位置する画像も容易に認識することができる。したがって、注目画像と所定の経路の両端部に位置する画像との間に存在する画像を容易に予測することができる。
【００１９】
上記第２の局面による画像再生装置において、好ましくは、表示部には、中心部に位置する注目画像と所定の経路の両端部にそれぞれ位置する画像との間に位置する複数の画像が、注目画像から遠ざかるに従って次第に小さくなるように表示再生されるとともに、所定の経路の両端部のそれぞれに位置する画像に近づくに従って次第に大きくなるように再生表示されるように構成する。このように構成すれば、注目画像および所定の経路の両端部にそれぞれ位置する画像以外の画像を小さく表示するので、表示部において、より多くの画像を一度に再生表示することができる。
【００２０】
上記第２の局面による画像再生装置において、好ましくは、装置本体は、注目画像を注目画像に隣接する画像に更新する第１更新ボタンと、注目画像を所定の経路の両端部のうちのいずれか一方の画像に更新する第２更新ボタンとを含み、表示部は、第１更新ボタンの操作により注目画像が隣接する画像に更新された場合に、複数の画像の各々も所定の経路に沿ってそれぞれ隣接する画像に更新されて再生表示されるとともに、第２更新ボタンの操作により注目画像が所定の経路の両端部のうちのいずれか一方の画像に更新された場合に、複数の画像の各々が所定の経路に沿って配置された互いの順序を変えないように注目画像と両端部のいずれか一方との間の画像分だけ更新されて再生表示されるように構成される。このように構成すれば、第１更新ボタンの操作により注目画像を１枚単位で更新することができるとともに、第２ボタンの操作により注目画像を複数枚単位で更新することができる。したがって、第１および第２ボタンを操作することにより画像を１枚単位および複数枚単位で更新することができるので、所望の画像を容易に、かつ、素早く検索することができる。
【発明を実施するための最良の形態】
【００２１】
以下、本発明の実施形態を図面に基づいて説明する。
【００２２】
図１および図２は、本発明の一実施形態によるビデオカメラの全体構成を示す斜視図である。また、図３は、本発明の一実施形態によるビデオカメラの正面図である。また、図４は、本発明の一実施形態によるビデオカメラの全体構成を示すブロック図である。また、図５〜図７は、本発明の一実施形態によるビデオカメラの表示画面における構成を説明するための図である。まず、図１〜図７を参照して、本発明の一実施形態によるビデオカメラ１の構成について説明する。なお、ビデオカメラ１は、本発明の「画像再生装置」の一例である。
【００２３】
本発明の一実施形態によるビデオカメラ１は、図１〜図３に示すように、レンズ２と、ファインダ３と、フラッシュ４と、撮影／録画ボタン５と、操作ボタン６と、撮像した画像を再生表示する表示画面７と、電源ボタン８と、ＷＩＤＥボタン９ａおよびＴＥＬＥボタン９ｂからなるズームボタン９とによって構成されている。また、ズームボタン９は、表示画面７に画像が表示されている際に押圧することによって画像の表示方法の変更の設定が行われるように構成されている。なお、表示画面７は、本発明の「表示部」の一例である。
【００２４】
また、図１〜図３に示すように、レンズ２は、複数の光学レンズから構成されている。また、ファインダ３は、ユーザがファインダ３を介して被写体を見ながら、撮影または録画範囲を決定することが可能なように構成されている。また、フラッシュ４は、撮影時に発光する機能を有している。また、撮影／録画ボタン５は、撮影時に押圧することにより、撮影が行われるように構成されている。また、操作ボタン６は、上下ボタン６ａと左右ボタン６ｂとにより構成されているとともに、表示画面７に再生表示される画面の指示に従って設定の変更の操作などを行うために設けられている。また、上下ボタン６ａは、表示画面７に再生表示された画像を１枚単位で更新するために設けられており、左右ボタン６ｂは、画像を１０枚単位で更新するために設けられている。なお、上下ボタン６ａおよび左右ボタン６ｂは、それぞれ、本発明の「第１更新ボタン」および「第２更新ボタン」の一例である。また、表示画面７は、撮影した画像を再生表示するとともに、ビデオカメラ１の各種設定を行うメニュー画面（図示せず）を再生表示するために設けられている。また、表示画面７に再生表示された画像の更新およびメニュー画面（図示せず）における各種設定は、操作ボタン６を操作して設定するように構成されている。また、電源ボタン８は、ビデオカメラ１のＯＮ／ＯＦＦの設定を行うために設けられている。また、ＷＩＤＥボタン９ａは、押圧し続けている時間分だけ表示画面７に表示された画像が広角状態になるように設けられているとともに、ＴＥＬＥボタン９ｂは、押圧し続けている時間分だけ表示画面７に表示された画像が望遠状態になるように設けられている。
【００２５】
また、図４に示すように、ビデオカメラ１の内部には、メモリ部１ｂおよび制御部１ｃから構成された制御回路部１ａと撮像素子１０とが設けられている。メモリ部１ｂは、各種動作プログラムが格納されているとともに、撮影された画像データを記憶するために設けられている。また、制御部１ｃは、上記した各種動作プログラムによりビデオカメラ１の動作を制御するように構成されている。また、制御部１ｃは、表示画面７に画像を再生表示する際にメモリ部１ｂに保存されている画像の枚数を認識するとともに、ユーザの選択により画像の表示方法の変更の設定を行うように制御するように構成されている。具体的には、表示画面７に画像を再生表示する場合、初期状態においては表示画面７には画像が１枚ずつ再生表示される。このとき、ユーザがＷＩＤＥボタン９ａを押圧することにより、図５に示すように、表示画面７が９分割されるとともに、９分割されたそれぞれの領域に１枚ずつ再生表示されることによって１度に９枚の画像が再生表示される。また、このとき、ユーザがさらにＷＩＤＥボタン９ａを押圧することにより、図６に示すように、表示画面７が１６分割されるとともに、１６分割されたそれぞれの領域に１枚ずつ再生表示されることによって１度に１６枚の画像が再生表示されるように構成されている。なお、図の「ｒ」は、ｒ枚目の画像を示している。たとえば、図５においては、「ｒ−４」枚目から「ｒ＋４」枚目までの画像が表示されていることを示している。
【００２６】
ここで、本実施形態では、表示画面７に１６分割された状態により画像が表示されている際にユーザがさらにＷＩＤＥボタン９ａを押圧した場合に、メモリ部１ｂに１６枚以上の画像が保存されている場合には、図７に示すように、表示画面７には複数（２１枚）の画像が注目画像７ａを中心として所定の経路を形成するように螺旋状に配置された状態で再生表示されるように構成されている。
【００２７】
また、本実施形態では、図７に示すように、複数の画像が螺旋状に再生表示される場合には、螺旋状の中心部に位置する注目画像７ａが注目画像７ａ以外の画像よりも大きくなるように表示されるように構成されている。また、螺旋状の所定の経路の両端部にそれぞれ位置する端部画像７ｂおよび７ｃ（図７のｒ＋１０およびｒ−１０に対応する画像）は、中心部に位置する注目画像７ａと同程度の大きさになるように再生表示されるように構成されている。また、中心部に位置する注目画像７ａと所定の経路の両端部にそれぞれ位置する端部画像７ｂおよび７ｃとの間に位置する複数の画像（図７のｒ−１〜ｒ−９およびｒ＋１〜ｒ＋９に対応する画像）は、注目画像７ａから遠ざかるに従って次第に小さくなるように再生表示されるとともに、両側端部にそれぞれ位置する端部画像７ｂおよび７ｃに近づくに従って次第に大きくなるように再生表示されるように構成されている。
【００２８】
また、本実施形態では、注目画像７ａが、表示画面７の所定の位置に固定的に再生表示されるとともに、表示された画像を更新する際に、注目画像７ａが他の画像に更新された場合に複数の画像の各々が螺旋状に沿って更新されて再生表示されるように構成されている。
【００２９】
また、撮像素子１０（図４参照）は、ビデオカメラ１のレンズ２を通して入射した光を電気信号に変換するために設けられている。
【００３０】
図８および図９は、本発明の一実施形態によるビデオカメラの表示画面に螺旋状に表示された複数の画像を更新する際の動作を説明するための図である。また、図１０は、本発明の一実施形態によるビデオカメラの表示画面に画像を再生表示させる際の動作フローを示したフローチャートである。次に、図３〜図１０を参照して、本発明の一実施形態によるビデオカメラ１の表示画面７に螺旋状に表示された複数の画像を更新する際の動作および表示画面７に画像を再生表示させる際の動作について説明する。
【００３１】
まず、本発明の一実施形態によるビデオカメラ１の表示画面７に、螺旋状に表示された複数の画像を更新する際の動作について説明する。
【００３２】
ここで、本実施形態では、図７〜図９に示すように、表示画面７には、上下ボタン６ａ（図３参照）の操作により注目画像７ａが隣接する画像の位置に更新された場合に、複数の画像の各々も所定の経路に沿ってそれぞれ隣接する画像の位置に更新されて再生表示されるとともに、左右ボタン６ｂ（図３参照）の操作により注目画像７ａが両端部のいずれか一方の端部画像７ｂまたは７ｃに更新された場合に、複数の画像の各々が所定の経路に沿って配置された互いの順序を変えないように注目画像７ａと両側端部のいずれか一方の間の画像分だけ更新されて再生表示される。
【００３３】
具体的には、図７に示すように、メモリ部１ｂに保存された画像が螺旋状に表示されている場合に、上下ボタン６ａを下方向に１回押圧することにより注目画像７ａに再生表示されている「ｒ」枚目に対応する画像が隣接する画像の位置（図７の「ｒ−１」枚目に対応する画像の位置）にずれるとともに、全ての画像が「ｒ」枚目に対応する画像と同じ方向に同じ枚数分ずれる。そして、注目画像７ａの位置には「ｒ＋１」枚目に対応する画像が再生表示されるとともに「ｒ−１０」枚目に対応する画像が表示画面７から見えなくなり「ｒ＋１１」枚目に対応する画像が表示画面７に表示される。すなわち、図７に示す状態から図８に示すような状態になる。また、上下ボタン６ａを上方向に１回押圧することにより注目画像７ａに再生表示されている「ｒ」枚目に対応する画像が隣接する画像の位置（図７の「ｒ＋１」枚目に対応する画像の位置）にずれるとともに、全ての画像が「ｒ」枚目に対応する画像と同じ方向にずれて注目画像７ａの位置には「ｒ−１」枚目に対応する画像が再生表示される。以上のようにして、上下ボタン６ａを上下方向のいずれかに押圧する毎に注目画像７ａに再生表示される画像が１枚単位で更新される。
【００３４】
また、画像の配置が図７に示す状態の際に、左右ボタン６ｂを左方向に１回押圧することにより注目画像７ａに再生表示されている「ｒ」枚目に対応する画像が左側の端部画像７ｃの位置（図７の「ｒ−１０」枚目に対応する画像の位置）にずれるとともに、すべての画像が順番を変えることなく「ｒ」枚目の画像と同じ方向に同じ枚数分ずれることにより注目画像７ａの位置には「ｒ＋１０」枚目に対応する画像が再生表示される。そして、「ｒ−１」枚目〜「ｒ−１０」枚目に対応する画像が表示画面７から見えなくなるとともに、「ｒ＋１１」枚目〜「ｒ＋２０」枚目に対応する画像が表示画面７に表示される。すなわち、図７に示す状態から図９に示すような状態になる。また、同様に左右ボタン６ｂを右方向に１回押圧することにより注目画像７ａに再生表示されている「ｒ」枚目に対応する画像が右側の端部画像７ｂの位置（図７の「ｒ＋１０」枚目に対応する画像の位置）にずれるとともにすべての画像が順番を変えることなく「ｒ」枚目に対応する画像と同じ方向に同じ枚数分ずれて注目画像７ａの位置には「ｒ−１０」枚目に対応する画像が再生表示される。そして、「ｒ＋１」枚目〜「ｒ＋１０」枚目に対応する画像が表示画面７から見えなくなるとともに、「ｒ−１１枚目」〜「ｒ−２０枚目」に対応する画像が表示画面７に表示される。以上のようにして、左右ボタン６ｂを左右方向のいずれかに押圧する毎に注目画像７ａに再生表示される画像が１０枚単位で更新される。
【００３５】
次に、表示画面７に画像を再生表示させる際の動作について説明する。まず、図１０に示すように、ステップＳ１において、ビデオカメラ１の表示画面７に画像を表示する指示があるか否かが判断される。ここで、表示画面７に画像を表示する指示がないと判断された場合は、画像を表示する指示があると判断されるまで繰り返しこの動作を行うとともに、表示画面７に画像を表示する指示があると判断された場合は、ステップＳ２に進み、メモリ部１ｂ（図４参照）に保存されている画像があるか否かが判断される。そして、ステップＳ２において、メモリ部１ｂに保存されている画像がないと判断された場合には処理が終了される一方で、メモリ部１ｂに保存されている画像があると判断された場合には、ステップＳ３に進み、メモリ部１ｂに保存されている画像が１画面表示で再生表示される。すなわち、表示画面７に画像が１枚単位で再生表示される。なお、この状態において、ユーザが左右ボタン６ｂを押圧する毎に表示画面７に１枚単位で画像が更新されるように設定されている。そして、ステップＳ３において、メモリ部１ｂに保存されている画像が１画面表示で再生表示された後に、ステップＳ４に進み、ＷＩＤＥボタン９ａ（図３参照）が押下されたか否かが判断される。ステップＳ４において、ＷＩＤＥボタン９ａが押下されないと判断された場合には処理が終了されるとともに表示画面７において画像が１画面表示で再生表示され続ける。また、ステップＳ４において、ＷＩＤＥボタン９ａが押下されたと判断された場合には、ステップＳ５に進み、メモリ部１ｂに保存されている画像が９画面表示で再生表示される。すなわち、上記したように、表示画面７が９分割されるとともに９枚の画像が再生表示される（図５参照）。そして、ステップＳ６において、ステップＳ５の状態においてさらにＷＩＤＥボタン９ａが押下されたか否かが判断される。ステップＳ６において、ＷＩＤＥボタン９ａが押下されないと判断された場合には処理が終了されるとともに、表示画面７において画像が９画面表示で再生表示され続ける。また、ステップＳ６において、ＷＩＤＥボタン９ａが押下されたと判断された場合には、ステップＳ７に進み、メモリ部１ｂに保存されている画像が１６画面表示で再生表示される。すなわち、上記したように、表示画面７が１６分割されるとともに１６枚の画像が再生表示される（図６参照）。
【００３６】
また、ステップＳ７において、表示画面７に画像が１６画面表示で再生表示された場合に、ステップＳ８に進み、ＷＩＤＥボタン９ａが押下されたか否かが判断される。ステップＳ８においてＷＩＤＥボタン９ａが押下されないと判断された場合には処理が終了されるとともに表示画面７において画像が１６画面表示で再生表示され続ける。また、ステップＳ８において、ＷＩＤＥボタン９ａが押下されたと判断された場合には、ステップＳ９に進み、メモリ部１ｂに保存されている画像が１６枚以上存在するか否かが判断される。このとき、ステップＳ９において、メモリ部１ｂに保存されている画像が１６枚以上存在しないと判断された場合には処理が終了されるとともに表示画面７において画像が１６画面表示で再生表示され続ける。また、ステップＳ９において、メモリ部１ｂに保存されている画像が１６枚以上存在すると判断された場合には、ステップＳ１０に進み、上記したように、表示画面７において画像が螺旋状に再生表示される（図７参照）。
【００３７】
また、表示画面７に画像が表示されている際に、ＴＥＬＥボタン９ｂ（図３参照）を押圧する毎にＷＩＤＥボタン９ａを押圧する際とは逆方向に画像の表示方法の変更の設定が行われる。つまり、表示画面７に螺旋状に画像が再生表示されている際にＴＥＬＥボタン９ｂを押圧することにより、画像の表示方法が１６画面再生による表示方法になる。同様に、表示画面７において、画像が１６画面再生により表示されている際にＴＥＬＥボタン９ｂを押圧することにより９画面再生による表示方法になるとともに、さらに、９画面再生により再生表示されている際にＴＥＬＥボタン９ｂを押圧することにより１画面再生による表示方法になる。
【００３８】
本実施形態では、上記のように、所定の位置において固定的に再生表示する注目画像７ａから複数の画像を所定の経路を形成するように再生表示するとともに、注目画像７ａが他の画像に更新された場合に複数の画像の各々を所定の経路に沿って更新して再生表示するように構成することによって、所定の位置に固定的に再生表示された注目画像７ａを順次更新していくので、画面全体を更新することなく画像のみを更新することができる。したがって、所望の画像を素早く検索することができる。
【００３９】
また、本実施形態では、複数の画像を、注目画像７ａを中心として所定の経路を形成するように螺旋状に配置した状態で再生表示するように構成することによって、複数の画像を螺旋状に配置するので、表示画面７において一度に多くの画像を配置することができる。また、螺旋状に配置することにより、複数の画像が１本の経路に時系列順に配置されるので、撮影された順番を容易に認識することができる。
【００４０】
また、本実施形態では、螺旋状の中心部に位置する注目画像７ａを注目画像７ａ以外の画像よりも大きくなるように構成することによって、他の複数の画像よりも注目画像７ａを大きく再生表示するので、注目画像７ａを容易に認識することができる。したがって、所望の画像を容易に検索することができる。
【００４１】
また、本実施形態では、螺旋状の所定の経路の両端部にそれぞれ位置する端部画像７ｂおよび７ｃを中心部に位置する注目画像７ａと同程度の大きさになるように再生表示するように構成することによって、注目画像７ａとともに、螺旋状の所定の経路の両端部に位置する画像も容易に認識することができる。したがって、注目画像７ａと所定の経路の両端部に位置する端部画像７ｂおよび７ｃとの間に存在する画像を容易に予測することができる。
【００４２】
また、本実施形態では、表示画面７には、中心部に位置する注目画像７ａと所定の経路の両端部にそれぞれ位置する端部画像７ｂおよび７ｃとの間に位置する複数の画像が、注目画像７ａから遠ざかるに従って次第に小さくなるように表示再生するとともに、所定の経路の両端部のそれぞれに位置する端部画像７ｂおよび７ｃに近づくに従って次第に大きくなるように再生表示するように構成することによって、注目画像７ａおよび所定の経路の両端部にそれぞれ位置する端部画像７ｂおよび７ｃ以外の画像を小さく表示するので、表示画面７において、より多くの画像を一度に再生表示することができる。
【００４３】
また、本実施形態では、ビデオカメラ１は、注目画像７ａを注目画像７ａに隣接する画像に更新する上下ボタン６ａと、注目画像７ａを所定の経路の両端部のうちのいずれか一方の端部画像（７ｂまたは７ｃ）に更新する左右ボタン６ｂとを含み、表示画面７が、上下ボタン６ａの操作により注目画像７ａを隣接する画像に更新した場合に、複数の画像の各々も所定の経路に沿ってそれぞれ隣接する画像に更新して再生表示するとともに、左右ボタン６ｂの操作により注目画像７ａを所定の経路の両端部のうちのいずれか一方の端部画像（７ｂまたは７ｃ）に更新した場合に、複数の画像の各々を所定の経路に沿って配置された互いの順序を変えないように注目画像７ａと所定の経路の両端部のうちのいずれか一方の端部画像（７ｂまたは７ｂ）との間の画像分だけ更新して再生表示するように構成することによって、上下ボタン６ａの操作により注目画像を１枚単位で更新することができるとともに、左右ボタン６ｂの操作により注目画像７ａを複数枚単位で更新することができる。したがって、上下ボタン６ａおよび左右ボタン６ｂを操作することにより画像を１枚単位および複数枚単位で更新することができるので、所望の画像を容易に、かつ、素早く検索することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、本実施形態において、画像再生装置の一例としてビデオカメラを示したが、本発明はこれに限らず、画像を表示する表示部を備えた画像再生装置であればビデオカメラ以外の画像再生装置にも適用可能である。
【００４６】
また、本実施形態において、所定の経路として螺旋状を形成する例を示したが、本発明はこれに限らず、注目画像から所定の経路を形成するような構成であれば螺旋状以外の経路を形成してもよい。
【００４７】
また、本実施形態において、画像の表示方法を変更する場合にＷＩＤＥボタンおよびＴＥＬＥボタンを押圧する例を示したが、本発明はこれに限らず、画像を再生表示する際に使用しないボタンであれば、ＷＩＤＥボタンおよびＴＥＬＥ以外のボタンでも適用可能である。
【００４８】
また、本実施形態において、左右ボタンを押圧する毎に１０枚単位で画像が更新する例を示したが、本発明はこれに限らず、１０枚単位以外の枚数（たとえば２０枚単位）毎に更新するようにしてもよい。
【図面の簡単な説明】
【００４９】
【図１】本発明の一実施形態によるビデオカメラの全体構成を説明するための斜視図である。
【図２】図１に示した本発明の一実施形態によるビデオカメラの全体構成を説明するための斜視図である。
【図３】図１に示した本発明の一実施形態によるビデオカメラの全体構成を説明するための正面図である。
【図４】図１に示した本発明の一実施形態によるビデオカメラの内部構成を説明するためのブロック図である。
【図５】図１に示した本発明の一実施形態によるビデオカメラの表示画面における構成を説明するための図である。
【図６】図１に示した本発明の一実施形態によるビデオカメラの表示画面における構成を説明するための図である。
【図７】図１に示した本発明の一実施形態によるビデオカメラの表示画面における構成を説明するための図である。
【図８】図１に示した本発明の一実施形態によるビデオカメラの表示画面における動作を説明するための図である。
【図９】図１に示した本発明の一実施形態によるビデオカメラの表示画面における動作を説明するための図である。
【図１０】図１に示した本発明の一実施形態によるビデオカメラの表示画面に画像を表示する際の制御フローを示したフローチャートである。
【符号の説明】
【００５０】
１          ビデオカメラ（画像再生装置）
６ａ        上下ボタン（第１更新ボタン）
６ｂ        左右ボタン（第２更新ボタン）
７          表示画面（表示部）
【図１】
2008271183.tif 000003
【図２】
2008271183.tif 000004
【図３】
2008271183.tif 000005
【図４】
2008271183.tif 000006
【図５】
2008271183.tif 000007
【図６】
2008271183.tif 000008
【図７】
2008271183.tif 000009
【図８】
2008271183.tif 000010
【図９】
2008271183.tif 000011
【図１０】
2008271183.tif 000012